(57)【要約】【課題】電光表示装置に装着し、電光表示装置が表示する情報に関連する情報を提示し、宣伝広告機能を十分に発揮させることができる、装飾用表示装置を提供する。【解決手段】一対の装飾板１１，１２とこの間に配設される介設部材１３とを備える。介設部材１３には電光表示装置２０を挿入する中空部１３ａが形成され、装飾用表示装置１０は、電光表示装置２０の上方から被装し得るように介設部材１３の前後に装飾板１１，１２を接着して一体として形成される。一対の装飾板１１，１２の一方又は双方には、電光表示部２１で表示される情報を視認するための視認部１１ａ，１２ａを形成し、電光表示部２１で表示する第１の情報とは別の第２の情報、例えば時間的に不変な情報として広告主に関する情報を、文字、図形、記号又は立体的形状の一以上の要素で表現する。【選択図】図１
0003125412.tif 000002
【実用新案登録請求の範囲】
【請求項１】
第1の情報が表示される電光表示装置に対して装着する装飾用表示装置であって、
上記電光表示装置の電光表示部を視認するための視認部を形成した装飾板を有し、
上記装飾板には、上記第１の情報とは別の第２の情報が文字、図形又は立体的形状の一以上の要素で表現されてなることを特徴とする、装飾用表示装置。
【請求項２】
第１の情報が表示される電光表示装置に対して装着する装飾用表示装置であって、
一対の装飾板と該一対の装飾板の間に設けられる介設部材とを有し、該介設部材には上記電光表示装置に挿入するための中空部が形成され、該介設部材の前後に該装飾板を接着して一体として上記電光表示装置に被装され、
上記一対の装飾板の一方又は双方には、上記電光表示装置の電光表示部を視認するための視認部が形成され、上記第１の情報とは別の第２の情報が文字、図形又は立体的形状の一以上の要素で表現されてなることを特徴とする、装飾用表示装置。
【請求項３】
第１の情報が表示される電光表示装置に対して装着する装飾用表示装置であって、
上記電光表示装置の電光表示部を視認するための視認部を形成した装飾板と、該装飾板を電光表示部に取り付けるための取付具と、を有し、
上記装飾板には、上記第１の情報とは別の第２の情報が文字、図形又は立体的形状の一以上の要素で表現されてなることを特徴とする、装飾用表示装置。
【考案の詳細な説明】
【技術分野】
【０００１】
本考案は、電光表示装置に装着され所定の情報を提示する装飾用表示装置に関する。
【背景技術】
【０００２】
発光ダイオード素子は消費電力を抑えることができるため、看板の外周縁に装着されたり看板に内蔵されたりする電球の代わりに、発光ダイオード素子が使用されている。また、発光ダイオード素子を格子状に配置してなる電光表示装置では、予めプログラム化された制御回路により各発光ダイオード素子をＯＮ／ＯＦＦすることで、表示内容を次々に変化させたり、広告主が必要とする又は任意の宣伝情報を流したりすることができる。このような電光表示装置として、片面のみに発光表示面を有し店頭のビルの壁に取り付けられるもの、両面に発光表示面を有し店先の路上に配置されるものがある。
【考案の開示】
【考案が解決しようとする課題】
【０００３】
ところが、このような電光表示装置の外観形状は何れのものも近似しており、街中に設置されていても、どこの店の看板なのか、直ちに理解することはできない。電光表示装置で一度に表示できる情報量は決められており、仮にテロップとして流すように発光ダイオード素子をＯＮ／ＯＦＦ制御しても、一般需要者は電光表示装置に流れるように表示される情報を最後まで見なければ、例えば「９月末まで売り出しセール中」という広告情報や例えば「○○○スーパー」という広告主の情報を理解することはできない。よって、従来の電光表示装置の側を通行する者に一部の情報しか与えず、宣伝広告機能を十分に発揮できないという課題がある。
【０００４】
そこで、本考案は、上記課題に鑑み、電光表示装置に装着し、電光表示装置が表示する情報に関連する情報を提示し、宣伝広告機能を十分に発揮させることができる、装飾用表示装置を提供することを目的とする。
【課題を解決するための手段】
【０００５】
上記目的を達成するために、本考案の第１の構成は、第1の情報が表示される電光表示装置に対して装着する装飾用表示装置であって、電光表示装置の電光表示部を視認するための視認部を形成した装飾板を有し、装飾板には、第１の情報とは別の第２の情報が文字、図形又は立体的形状の一以上の要素で表現されてなる。
本考案の第２の構成は、第１の情報が表示される電光表示装置に対して装着する装飾用表示装置であって、一対の装飾板と該一対の装飾板の間に設けられる介設部材とを有し、介設部材には電光表示装置に挿入するための中空部が形成され、介設部材の前後に装飾板を接着して一体として電光表示装置に被装され、一対の装飾板の一方又は双方には、電光表示装置の電光表示部を視認するための視認部が形成され、第１の情報とは別の第２の情報が文字、図形又は立体的形状の一以上の要素で表現されてなる。
本考案の第３の構成は、第１の情報が表示される電光表示装置に対して装着する装飾用表示装置であって、電光表示装置の電光表示部を視認するための視認部を形成した装飾板と、装飾板を電光表示部に取り付けるための取付具と、を有し、装飾板には、第１の情報とは別の第２の情報が文字、図形又は立体的形状の一以上の要素で表現されてなる。
【０００６】
上記何れの構成によっても、装飾用表示装置が電光表示装置に装着されることで、一般需要者は、装飾用表示装置の装飾板に形成された視認部から電光表示装置の電光表示部に表示される第１の情報を視認できると同時に、装飾用表示装置の装飾板に表現されている第２の情報を視認することができる。よって、例えば電光表示装置は予めプログラム制御されてテロップ状に第１の情報を流すことができるというメリットを損なうことなく、装飾用表示装置が第２の情報を提示することで、宣伝広告機能を十分に発揮することができる。
【考案の効果】
【０００７】
本考案の装飾用表示装置は電光表示装置に装着され、街頭やビルの壁などに設置されるので、装飾用表示装置の装飾板に形成された視認部から電光表示装置の電光表示部に表示される第１の情報と、装飾用表示装置の装飾板に表現されている第２の情報とを、同時に一般需要者に対して提示する。よって、装飾板に店名など電光表示部に表示される情報に係る広告主の情報を提示することで一瞥して広告主を認識することができる。また、装飾用表示装置に表現される情報は、広告主により適宜決めることができ、装飾用表示装置の外形も電光表示装置に依存しない。よって、広告主毎に特徴を持たせることで、他の電光表示装置と峻別することができる。従って、宣伝広告機能を十分発揮させることができる。また、既存の電光表示装置に装着することもできるので、導入コストを抑制することができる。
【考案を実施するための最良の形態】
【０００８】
以下、添付図面を参照して本考案を実施するための最良の形態につき詳細に説明する。
図１は本考案の一形態に係る装飾用表示装置１０を示す分解斜視図で、装飾用表示装置１０を被装する電光表示装置２０も同時に示している。図２（Ａ）は図１のＸ１−Ｘ２線に沿う断面図、（Ｂ）は図１のＹ１−Ｙ２に沿う断面図である。図には、電光表示装置２０のうち、電光表示部２１で表示された情報を視認するための透明板２２と枠体２３とを示し、電光表示部２１内の、発光ダイオード素子を格子状に配置した基板や制御回路などは示していない。
装飾用表示装置１０は、図１及び図２に示すように、一対の装飾板１１，１２とこの間に配設される介設部材１３とを備える。介設部材１３には電光表示装置２０を挿入するための中空部１３ａが形成され、装飾用表示装置１０は、電光表示装置２０の上方から被装することができるように介設部材１３の前後に装飾板１１，１２を接着して一体として形成される。一対の装飾板１１，１２の一方又は双方には、電光表示部２１で表示される情報を視認するための視認部１１ａ，１２ａが形成され、電光表示部２１で表示される第１の情報とは異なる別の第２の情報、例えば広告主に関する情報として時間的に不変な情報が、文字、図形、記号又は立体的形状の一以上の要素で表現されてなる。
【０００９】
電光表示装置２０の前側に配置される装飾板１１，１２は、剛性を有するアルミニウム板で形成され、装飾板１１，１２を電光表示装置２０に装着した際、透明板２２に対向する部位が開口して視認部１１ａ，１２ａを形成している。
装飾板１１，１２は、例えば図１に示すように、外形が女性の頭部の輪郭を示す上端部１１ｂ，１２ｂとその上端部１１ｂ，１２ｂから鉛直下方に長手方向の矩形の本体部１１ｃ，１２ｃとからなる。上端部１１ｂ，１１ｃの表面には、女性の顔が印刷されており、襟周りに「ＭＥＮＵ  ＢＯＡＲＤ」という文字情報が印刷されている。本体部１１ｃ，１２ｃの視認部１１ａ，１２ａより下側表面には、女性の足回りが印刷されている。装飾板１１，１２の表面には、文字、図形が印刷される場合だけでなく、情報を有するシールや立体的形状が貼付されてもよい。
なお、視認部１１ａ，１２ａは開口している場合だけでなく、図示しない透明板が裏側から貼り付けられていてもよい。透明板としては、アクリル板やポリカーボネート板などの合成樹脂板で形成される。装飾板１１，１２は、アルミ板のみならず、鉄、銅、ステンレスなどの金属板や、アクリル板などのプラスチック板や複合材で形成されてもよいが、装飾板１１，１２は発泡プラスチックなどで形成した介設部材１３に接着剤などで接合されるので、重量が大きくなく介設部材１３との接着性が良好な材料で形成されることが好ましい。
【００１０】
介設部材１３は、電光表示装置２０の電光表示部２１の枠体２３の幅と同程度かそれよりもやや大きめの厚さを有し、その表裏に接着される装飾板１１，１２と同様の外形を有する。介設部材１３には、電光表示装置２０の枠体２３に挿入するための中空部１３ａが形成されてなる。中空部１３ａは、装飾用表示装置１０を被装する電光表示装置２０の外形に沿って形成されてなる。
図１及び図２に示すように、枠体２３の両側壁２３ａが支柱２５に取り付けられている場合には、中空部１３ａは、電光表示装置２０の電光表示部２１が挿入される第１の中空部１３ｂと、第１の中空部１３ｂの両サイドの第２の中空部１３ｃ，１３ｃとからなり、第２の中空部１３ｃには、電光表示部２１を支持する支柱２５や支柱に電光表示部２１を螺子止するブラケット２６の挿入領域となる。
介設部材１３は、発泡プラスチック材の左右両側面に表面処理膜を付して形成されてなる。表面処理膜で耐候性、耐衝撃性、硬性を持たせることができる。表面処理膜を形成する表面処理剤としては、有機ポリイソシアネートを含む主剤とポリオキシアルキレンジザミンや芳香族アミン架橋剤等の硬化剤とからなる二液型の処理剤を用い、型枠部材にスプレーで吹き付けることで、その吹付面にポリウレアエラストマを生成し、ポリウレタン系の樹脂膜を形成することができる。この表面処理は、処理剤中にＣＯＯＨ基やＳＯ３Ｈ基やフェノール性ＯＨ基等の酸性を示す基を含めることで硬化効率を向上させることができる。表面処理剤には酸化チタンのような光触媒粒子を含有させることができ、光触媒粒子を含有させた処理剤を吹き付けることで、被処理部の塗膜中に光触媒粒子を散在させる。被処理部の表面に付着した有機物等の付着物による汚れを太陽光により手間をかけずに分解するので表面を綺麗にしておくことができる。なお、このような表面処理は、介設部材１３だけでなく、一対の装飾板１１，１２にも施してもよいが、装飾板１１，１２の表面には、前述したように、文字、図形や立体的形状からなる不変な情報が外部から視認できるように付されていることが必要となる。
【００１１】
装飾用表示装置１０は、介設部材１３の両面に装飾板１１，１２が接着剤などにより接着されて構成され、装飾板１１，１２の表面には、時間的に不変な情報が、文字、図形又は立体的形状で付され、電光表示装置２１に上方から被らせることができるよう中空部１３ａが形成されている。よって、装飾用表示装置１０を電光表示装置２１に上方から被らせて装着することで、電光表示装置２１で表示される情報に関連する情報、例えば、電光表示装置２１で広告情報をテロップ状に表示する場合には、その広告主の情報、例えば店名などを常に一般需要者に表示することができる。
【００１２】
ここで、電光表示装置２０は、図１に示すように、台座２７に一対の支柱２５，２５を立設し、台座２７の下面にキャスター２７ａを複数取り付け、電光表示装置２１を容易に移動することができるようにした場合を想定しているが、別に図示した場合に限定されるものではない。なお、台座２７には、電光表示部２１からの電源コード２８を通す孔２７ｂが形成されている。
【００１３】
次に別の形態を説明する。
図３は本考案の別の形態に係る装飾用表示装置３０を示す分解斜視図で、装飾用表示装置３０を装着する電光表示装置４０も同時に示している。装飾用表示装置３０を装着する電光表示装置４０は、図１に示す形態と同様、電光表示部４１で例えば時間的に情報を変動させて表示し、電光表示部４１で表示された情報を視認するための透明板４２と枠体４３とを備える。
【００１４】
装飾用表示装置３０は、電光表示装置４０の電光表示部４１を視認するための視認部３１ａを形成した装飾板３１と、装飾板３１を電光表示部４１に取り付けるための取り付け具３２を有し、装飾板３１には、電光表示部４１で表示される第１の情報とは別の第２の情報、例えば時間的に不変な情報が、文字、図形、記号又は立体的形状の一以上の要素で表現されてなる。
装飾板３１は、剛性を有するアルミニウム板で形成され、装飾板３１を電光表示装置４０に装着した際透明板４２に対向する部位を開口して視認部３１ａを形成している。視認部３１ａには、図１に示す形態と同様、裏面から透明板（図示しない）を付着してもよい。
取付具３２は、例えば図３に示すように、前壁部３２ａと水平壁部３２ｂと後壁部３２ｃとで断面コ字状に形成した水平部３２ｄと、前壁部３２ｅと側壁部３２ｆと後壁部３２ｇとで断面コ字状に形成した鉛直部３２ｈとで全体としてＬ字状に形成されている。この取付具３２は装飾板３１の裏面に接着され、枠体４３の左右の隅部に上方からスライドして、装飾板３１を電光表示部４１の前側に装着する。取付具３２は、図３に破線で示すＬ字金具３３のように枠体４３の上面に取り付けられ、接着剤などで装飾板３１の裏面に接着されてもよい。
【００１５】
このように、電光表示部４１の前側に取付具３２やＬ字金具３３で装飾板３１が装着され、装飾板３１の視認部３１ａから、電光表示部４１に表示される情報を視認することができる。よって、装飾板３１の表面に、電光表示部４１が表示する情報に関する情報を、文字、図形又は立体的形状で付すことで、例えば、電光表示部４１でホテルの宿泊料金をテロップ状に示しながら、そのホテル名を装飾板３１に文字で表現することで、どこの宿泊料金を示しているか、通行人などは容易に判断することができる。
【００１６】
なお、電光表示部４１は、図３では一対の支柱４５，４５を立設した台座４７に取り付けられ、台座４７の下面に設けられたキャスター４７ａで電光表示部４１を容易に移動することができるよう構成されているが、電光表示部４１を直接建物の壁面に取り付けるような場合であってもよい。
【００１７】
以上説明したように、装飾用表示装置は電光表示部に装着されることで、電光表示部で時間的に変化する情報をあたかも装飾用表示装置が表示しているように提示し、装飾用表示装置の装飾板に固定的な情報を付すことで、一般需要者に対して、電光表示部で流れている情報がどこの情報であるのかを一瞥して認識させることができる。また、電光表示部で流れる情報と装飾板の表面に表現されている情報とを関連付け、例えば図１に示すように、女性がメニューボード内に電光表示部で流れる情報を示しながら、顧客の来店を待ち望んでいるように、一般需要者にアピールすることができる。
【図面の簡単な説明】
【００１８】
【図１】本考案の一形態に係る装飾用表示装置を示す分解斜視図である。
【図２】（Ａ）は図１のＸ１−Ｘ２線に沿う断面図、（Ｂ）は図１のＹ１−Ｙ２に沿う断面図である。
【図３】本考案の別の形態に係る装飾用表示装置を示す分解斜視図である。
【符号の説明】
【００１９】
１０，３０：装飾用表示装置
１１，１２，３１：装飾板
１１ａ，１２ａ，３１ａ：視認部
１１ｂ，１２ｂ：上端部
１１ｃ，１２ｃ：本体部
１３：介設部材
１３ａ，１３ｂ，１３ｃ：中空部
２０，４０：電光表示装置
２１，４１：電光表示部
２２，４２：透明板
２３，４３：枠体
２３ａ：側壁
２５，４５：支柱
２６：ブラケット
２７，４７：台座
２７ａ，４７ａ：キャスター
２７ｂ：孔
２８：電源コード
３２：取付具
３２ａ，３２ｅ：前壁部
３２ｂ：水平壁
３２ｃ，３２ｇ：後壁部
３２ｄ：水平部
３２ｆ：側壁部
３２ｈ：鉛直部
３３：Ｌ字金具
【図１】
0003125412.tif 000003
【図２】
0003125412.tif 000004
【図３】
0003125412.tif 000005
【手続補正書】
【提出日】平成18年7月10日(2006.7.10)
【手続補正１】
【補正対象書類名】実用新案登録請求の範囲
【補正対象項目名】全文
【補正方法】変更
【補正の内容】
【実用新案登録請求の範囲】
【請求項１】
第１の情報が表示される電光表示装置に対して装着する装飾用表示装置であって、
上記電光表示装置の電光表示部を視認するための開口又は透明板から成る視認部を形成した装飾板を有し、
上記装飾板には、上記第１の情報とは別の第２の情報が文字、図形又は立体的形状の一以上の要素で表現されてなることを特徴とする、装飾用表示装置。
【請求項２】
第１の情報が表示される電光表示装置に対して装着する装飾用表示装置であって、
一対の装飾板と該一対の装飾板の間に設けられる介設部材とを有し、該介設部材には上記電光表示装置に挿入するための中空部が形成され、該介設部材の前後に該装飾板を接着して一体として上記電光表示装置に被装され、
上記一対の装飾板の一方又は双方には、上記電光表示装置の電光表示部を視認するための開口又は透明板から成る視認部が形成され、上記第１の情報とは別の第２の情報が文字、図形又は立体的形状の一以上の要素で表現されてなることを特徴とする、装飾用表示装置。
【請求項３】
第１の情報が表示される電光表示装置に対して装着する装飾用表示装置であって、
上記電光表示装置の電光表示部を視認するための開口又は透明板から成る視認部を形成した装飾板と、該装飾板を電光表示部に取り付けるための取付具と、を有し、
上記装飾板には、上記第１の情報とは別の第２の情報が文字、図形又は立体的形状の一以上の要素で表現されてなることを特徴とする、装飾用表示装置。
【手続補正２】
【補正対象書類名】明細書
【補正対象項目名】０００５
【補正方法】変更
【補正の内容】
【０００５】
上記目的を達成するために、本考案の第１の構成は、第1の情報が表示される電光表示装置に対して装着する装飾用表示装置であって、電光表示装置の電光表示部を視認するための開口又は透明板から成る視認部を形成した装飾板を有し、装飾板には、第１の情報とは別の第２の情報が文字、図形又は立体的形状の一以上の要素で表現されてなる。
本考案の第２の構成は、第１の情報が表示される電光表示装置に対して装着する装飾用表示装置であって、一対の装飾板と該一対の装飾板の間に設けられる介設部材とを有し、介設部材には電光表示装置に挿入するための中空部が形成され、介設部材の前後に装飾板を接着して一体として電光表示装置に被装され、一対の装飾板の一方又は双方には、電光表示装置の電光表示部を視認するための開口又は透明板から成る視認部が形成され、第１の情報とは別の第２の情報が文字、図形又は立体的形状の一以上の要素で表現されてなる。
本考案の第３の構成は、第１の情報が表示される電光表示装置に対して装着する装飾用表示装置であって、電光表示装置の電光表示部を視認するための開口又は透明板から成る視認部を形成した装飾板と、装飾板を電光表示部に取り付けるための取付具と、を有し、装飾板には、第１の情報とは別の第２の情報が文字、図形又は立体的形状の一以上の要素で表現されてなる。